(57)【要約】      （修正有）【課題】美的外観に優れ、製造時における材料の無駄が少なく、環境への負荷の小さい時計用外装部品の提供。【解決手段】基材Ｐ１と、ガスデポジション法により形成された被膜Ｐ３とを備えたことを特徴とする時計用外層部品Ｐ１０。被膜Ｐ３は、時計用外装部品Ｐ１０が時計に組み込まれた状態において、観察可能な部位の一部に選択的に設けられたものであること。基材Ｐ１は、サファイアガラス、石英およびプラスチックよりなる群から選択される１種または２種以上を含む材料で構成されたものであること。基材Ｐ１と被膜Ｐ３との間に、少なくとも１層の下地層Ｐ２を有すること。下地層Ｐ２はＴｉＮで構成され、被膜Ｐ３は金属材料で構成され、平均一次粒子径が１００ｎｍ以下の粒子Ｐ３１を堆積することにより形成されている時計外装部品Ｐ１０。被膜Ｐ３の基材Ｐ１に対向する面側に反射防止膜Ｐ４が被膜Ｐ３の形成後に形成する時計外装部品Ｐ１０の製造方法。【選択図】図１
2015140483.tif 000002
【特許請求の範囲】
【請求項１】
基材と、
ガスデポジション法により形成された被膜とを備えたことを特徴とする時計用外装部品。
【請求項２】
前記被膜は、時計用外装部品が時計に組み込まれた状態において、観察可能な部位の一部に選択的に設けられたものである請求項１に記載の時計用外装部品。
【請求項３】
前記基材は、透明性を有するものである請求項１または２に記載の時計用外装部品。
【請求項４】
前記基材は、サファイアガラス、石英およびプラスチックよりなる群から選択される１種または２種以上を含む材料で構成されたものである請求項１ないし３のいずれか１項に記載の時計用外装部品。
【請求項５】
前記基材と前記被膜との間に、少なくとも１層の下地層を有するものである請求項１ないし４のいずれか１項に記載の時計用外装部品。
【請求項６】
前記下地層として、ＴｉＮで構成された層を有するものである請求項５に記載の時計用外装部品。
【請求項７】
前記被膜は、金属材料で構成されたものである請求項１ないし６のいずれか１項に記載の時計用外装部品。
【請求項８】
前記被膜は、平均一次粒子径が１００ｎｍ以下の粒子が堆積することにより形成されたものである請求項１ないし７のいずれか１項に記載の時計用外装部品。
【請求項９】
前記被膜の前記基材に対向する面とは反対の面側に、反射防止膜が設けられている請求項１ないし８のいずれか１項に記載の時計用外装部品。
【請求項１０】
基材を準備する基材準備工程と、
ガスデポジション法により、被膜を形成する被膜形成工程とを有することを特徴とする時計用外装部品の製造方法。
【請求項１１】
前記基材準備工程と前記被膜形成工程との間に、少なくとも１層の下地層を形成する下地層形成工程を有する請求項１０に記載の時計用外装部品の製造方法。
【請求項１２】
前記被膜形成工程の後に、反射防止膜を形成する反射防止膜形成工程を有する請求項１０または１１に記載の時計用外装部品の製造方法。
【請求項１３】
請求項１ないし９のいずれか１項に記載の時計用外装部品を備えたことを特徴とする時計。
【請求項１４】
請求項１０ないし１２のいずれか１項に記載の方法を用いて製造された時計用外装部品を備えたことを特徴とする時計。
【発明の詳細な説明】
【技術分野】
【０００１】
本発明は、時計用外装部品、時計用外装部品の製造方法および時計に関する。
【背景技術】
【０００２】
時計には、実用品としての機能が求められるとともに、装飾品として優れた審美性（美的外観）が要求される。
【０００３】
このため、時計用外装部品には、各種金属材料等の優れた質感を有する材料が用いられている（例えば、特許文献１参照）。
【０００４】
そして、さらなる審美性の向上のために、所定のパターンで装飾層（被膜）を設けることが行われている。
【０００５】
従来においては、所定のパターンで装飾層（被膜）を設けるためには、マスク（レジスト等）を配した状態で真空蒸着等の気相成膜を行ったり、基材の全面に成膜を行った後にエッチングで不要部分を除去する方法等が採用されたりしている。
【０００６】
しかしながら、これらの方法では、最終的な時計用外装部品に含まれる被膜の構成材料は、製造に用いる材料のごく一部であり、材料の無駄が多く、省資源の観点から好ましくなかった。
【０００７】
また、被膜形成用材料の回収、回収した材料のリサイクル、レジストの利用等に伴う工程増加や化学物質の使用が、環境負荷やコスト増大の問題を引き起こしていた。
【先行技術文献】
【特許文献】
【０００８】
【特許文献１】特開２００８−１５０６６０号公報
【発明の概要】
【発明が解決しようとする課題】
【０００９】
本発明の目的は、美的外観に優れ、製造時における材料の無駄が少なく、環境への負荷の小さい時計用外装部品を提供すること、材料の無駄が少なく、環境への負荷の小さい方法で、美的外観に優れた時計用外装部品を効率よく製造することができる時計用外装部品の製造方法を提供すること、また、美的外観に優れ、製造時における材料の無駄が少なく、環境への負荷の小さい時計用外装部品を備えた時計を提供することにある。
【課題を解決するための手段】
【００１０】
このような目的は、下記の本発明により達成される。
本発明の時計用外装部品は、基材と、
ガスデポジション法により形成された被膜とを備えたことを特徴とする。
【００１１】
これにより、美的外観に優れ、製造時における材料の無駄が少なく、環境への負荷の小さい時計用外装部品を提供することができる。
【００１２】
本発明の時計用外装部品では、前記被膜は、時計用外装部品が時計に組み込まれた状態において、観察可能な部位の一部に選択的に設けられたものであることが好ましい。
これにより、時計用外装部品、時計の美的外観を特に優れたものとすることができる。
【００１３】
本発明の時計用外装部品では、前記基材は、透明性を有するものであることが好ましい。
【００１４】
これにより、例えば、時計用外装部品の美的外観を特に優れたものとすることができる。また、例えば、時計用外装部品を備えた時計において、時計用外装部品の被膜が設けられた面とは反対側の面が外表面側を向くように配置した場合であっても、使用者等が被膜を好適に視認することができ、被膜を備えることによる効果を効果的に発揮させつつ、被膜等が摩擦等により損傷することをより確実に防止することができ、当該時計の耐久性を特に優れたものとすることができる。
【００１５】
本発明の時計用外装部品では、前記基材は、サファイアガラス、石英およびプラスチックよりなる群から選択される１種または２種以上を含む材料で構成されたものであることが好ましい。
【００１６】
これにより、時計用外装部品の美的外観をさらに優れたものとすることができる。また、時計用外装部品を備えた時計の耐久性をさらに優れたものとすることができる。
【００１７】
本発明の時計用外装部品は、前記基材と前記被膜との間に、少なくとも１層の下地層を有するものであることが好ましい。
【００１８】
これにより、例えば、基材と被膜との密着性を特に優れたものとすることができる。また、例えば、下地層を着色層として機能させることにより、時計用外装部品の美的外観のさらなる向上を図ることもできる。また、下地層をギャップ層として機能させることにより、被膜が浮き上がったような立体感のある外観を得ることができる。
【００１９】
本発明の時計用外装部品は、前記下地層として、ＴｉＮで構成された層を有するものであることが好ましい。
【００２０】
これにより、基材と被膜との密着性、特に、被膜が金属材料で構成されたものである場合の密着性を特に優れたものとすることができる。
【００２１】
本発明の時計用外装部品では、前記被膜は、金属材料で構成されたものであることが好ましい。
【００２２】
これにより、ガスデポジション法による成膜をより好適に行うことができ、時計用外装部品の美的外観を特に優れたものとすることができる。また、基材と被膜との密着性を特に優れたものとすることができ、時計用外装部品の耐久性を特に優れたものとすることができる。
【００２３】
本発明の時計用外装部品では、前記被膜は、平均一次粒子径が１００ｎｍ以下の粒子が堆積することにより形成されたものであることが好ましい。
【００２４】
これにより、時計用外装部品の美的外観を特に優れたものとすることができる。また、基材と被膜との密着性を特に優れたものとすることができ、時計用外装部品の耐久性を特に優れたものとすることができる。
【００２５】
本発明の時計用外装部品では、前記被膜の前記基材に対向する面とは反対の面側に、反射防止膜が設けられていることが好ましい。
【００２６】
これにより、外光の不本意な映り込みを効果的に防止することができ、時計用外装部品の美的外観を特に優れたものとすることができる。また、時計用外装部品がカバーガラス（風防ガラス）に適用される場合においては、上記のように美的外観を向上させる効果が得られるとともに、文字板の視認性も向上させることができ、時計全体としての美的外観を特に優れたものとすることができる。また、時刻等の識別性も向上する等、実用品としての機能も向上する。
【００２７】
本発明の時計用外装部品の製造方法は、基材を準備する基材準備工程と、
ガスデポジション法により、被膜を形成する被膜形成工程とを有することを特徴とする。
【００２８】
これにより、材料の無駄が少なく、環境への負荷の小さい方法で、美的外観に優れた時計用外装部品を効率よく製造することができる時計用外装部品の製造方法を提供することができる。
【００２９】
本発明の時計用外装部品の製造方法では、前記基材準備工程と前記被膜形成工程との間に、少なくとも１層の下地層を形成する下地層形成工程を有することが好ましい。
【００３０】
これにより、例えば、基材と被膜との密着性を特に優れたものとすることができる。また、例えば、下地層を着色層として機能させることにより、時計用外装部品の美的外観のさらなる向上を図ることもできる。また、下地層をギャップ層として機能させることにより、被膜が浮き上がったような立体感のある外観を得ることができる。
【００３１】
本発明の時計用外装部品の製造方法では、前記被膜形成工程の後に、反射防止膜を形成する反射防止膜形成工程を有することが好ましい。
【００３２】
これにより、外光の不本意な映り込みを効果的に防止することができ、時計用外装部品の美的外観を特に優れたものとすることができる。また、時計用外装部品がカバーガラス（風防ガラス）に適用される場合においては、上記のように美的外観を向上させる効果が得られるとともに、文字板の視認性も向上させることができ、時計全体としての美的外観を特に優れたものとすることができる。また、時刻等の識別性も向上する等、実用品としての機能も向上する。
【００３３】
本発明の時計は、本発明の時計用外装部品を備えたことを特徴とする。
これにより、美的外観に優れ、製造時における材料の無駄が少なく、環境への負荷の小さい時計用外装部品を備えた時計を提供することができる。
【００３４】
本発明の時計は、本発明の方法を用いて製造された時計用外装部品を備えたことを特徴とする。
【００３５】
これにより、美的外観に優れ、製造時における材料の無駄が少なく、環境への負荷の小さい時計用外装部品を備えた時計を提供することができる。
【図面の簡単な説明】
【００３６】
【図１】本発明の時計用外装部品の好適な実施形態を示す模式的な断面図である。
【図２】本発明の時計用外装部品をカバーガラスに適用した場合の好適な実施形態を示す模式的な平面図である。
【図３】本発明の時計用外装部品の製造方法の好適な実施形態について、各工程を模式的に示す断面図である。
【図４】被膜の形成に用いられる被膜形成装置の好適な実施形態を示す縦断面側面図である。
【図５】図４に示す被膜形成装置の主要部のブロック図である。
【図６】本発明の時計（携帯時計）の好適な実施形態を示す部分断面図である。
【発明を実施するための形態】
【００３７】
以下、本発明の時計用外装部品、時計用外装部品の製造方法および時計を添付図面に示す好適な実施形態に基づいて詳細に説明する。
【００３８】
＜＜時計用外装部品＞＞
まず、本発明の時計用外装部品について説明する。
【００３９】
本発明において、時計用外装部品とは、時計の構成部品であり、時計の使用時において、外部から視認可能な部品のことをいい、時計の外部に露出して用いられるもののほか、時計の内部に収納した部品も含む概念である。
【００４０】
時計用外装部品としては、例えば、カバーガラス（風防ガラス）、文字板、針（地震、分針、秒針等）、ベゼル、ケース、裏蓋、りゅうず、円盤針、日車、曜車、月齢板等の回転表示体等が挙げられる。
【００４１】
図１は、本発明の時計用外装部品の好適な実施形態を示す模式的な断面図、図２は、本発明の時計用外装部品をカバーガラスに適用した場合の好適な実施形態を示す模式的な平面図である。
【００４２】
図１に示すように、時計用外装部品Ｐ１０は、基材Ｐ１と、下地層Ｐ２と、被膜Ｐ３と、反射防止膜Ｐ４とを備えている。
【００４３】
＜基材＞
基材Ｐ１は、いかなる材料で構成されたものであってもよいが、透明性を有するものであるのが好ましい。
【００４４】
これにより、例えば、時計用外装部品Ｐ１０の美的外観を特に優れたものとすることができる。また、例えば、時計用外装部品Ｐ１０を備えた時計において、時計用外装部品Ｐ１０の被膜Ｐ３が設けられた面とは反対側の面が外表面側を向くように配置した場合であっても、使用者等が被膜Ｐ３を好適に視認することができ、被膜Ｐ３を備えることによる効果を効果的に発揮させつつ、被膜Ｐ３等が摩擦等により損傷することをより確実に防止することができ、当該時計の耐久性を特に優れたものとすることができる。なお、本明細書において、「時計用外装部品Ｐ１０の美的外観」とは、時計用外装部品Ｐ１０を単独で観察した際の美的外観に加え、時計用外装部品Ｐ１０が時計に組み込まれた状態での当該部位についての美的外観も含むものである。
【００４５】
基材Ｐ１の光の透過率（波長：６００ｎｍの光の透過率）は、特に限定されないが、８５％以上であるのが好ましく、９０％以上であるのがより好ましい。
【００４６】
基材Ｐ１の好適な構成材料としては、例えば、サファイアガラス、石英、プラスチック等が挙げられる。
【００４７】
基材Ｐ１がこれらの群から選択される１種または２種以上を含む材料で構成されたものである場合、時計用外装部品Ｐ１０の美的外観をさらに優れたものとすることができる。また、時計用外装部品Ｐ１０を備えた時計の耐久性をさらに優れたものとすることができる。
【００４８】
基材Ｐ１は、各部位で均一な組成を有するものであってもよいし、異なる組成を有するものであってもよい。例えば、厚さ方向に組成の異なる層が積層された積層体や、傾斜的に組成が変化する傾斜材料で構成されたものであってもよい。
【００４９】
＜被膜＞
被膜Ｐ３は、ガスデポジション法により形成されたものである。
【００５０】
本発明において、ガスデポジション法とは、系内で気化した物質を凝縮させることにより形成された微粒子（被膜となる材料の微粒子）をノズルから基材に向けて吹き付けて、その衝撃力によって基材上に被膜を形成する方法のことをいう。ガスデポジション法では、後に詳述するように、所望の部位に選択的に被膜Ｐ３を形成することができ、材料の無駄の発生を効果的に防止することができるという特徴を有している。また、マスク形成等の前処理、不要な成膜部分の除去等の後処理を、省略または簡略化することができる。また、優れた質感を有する材料で構成された被膜Ｐ３を形成することができる。
【００５１】
このように、被膜Ｐ３がガスデポジション法により形成されたものであることにより、美的外観に優れ、製造時における材料の無駄が少なく、環境への負荷の小さい時計用外装部品Ｐ１０を提供することができる。
【００５２】
また、ガスデポジション法では、揮発性溶媒等を用いる必要がないので、時計用外装部品Ｐ１０が時計に組み込まれた状態で、揮発性成分（揮発性有機化合物）が揮発することによる問題（ムーブメントの故障、不具合の発生、カバーガラス等の曇り等）の発生を効果的に防止することができる。
【００５３】
被膜Ｐ３は、いかなる材料で構成されたものであってもよいが、金属材料で構成されたものであるのが好ましい。
【００５４】
これにより、ガスデポジション法による成膜をより好適に行うことができ、時計用外装部品Ｐ１０の美的外観を特に優れたものとすることができる。また、基材Ｐ１と被膜Ｐ３との密着性（特に、下地層Ｐ２を介した密着性）を特に優れたものとすることができ、時計用外装部品Ｐ１０の耐久性を特に優れたものとすることができる。
【００５５】
被膜Ｐ３を構成する金属材料としては、例えば、Ａｕ、Ｐｔ、Ｐｄ、Ｎｉ、Ａｇ、Ａｌ、Ｃｕ、Ｔｉ、Ｃｒやこれらのうち少なくとも１種を含む合金等が挙げられるが、Ａｕを含むものであるのが好ましい。
【００５６】
これにより、時計用外装部品Ｐ１０の美的外観をさらに優れたものとすることができる。また、Ａｕは高価な貴金属であるとともに、成膜に利用されなかったものの回収に用いる物質の環境への負荷が特に大きいものである。したがって、被膜Ｐ３がＡｕを含む金属材料である場合に、本発明を適用することによる効果がより顕著に発揮される。
【００５７】
被膜Ｐ３は、複数個の粒子Ｐ３１が堆積することにより形成されたものである。
被膜Ｐ３を構成する粒子の平均一次粒子径（一次粒子の平均粒径）は、１００ｎｍ以下であるのが好ましい。
【００５８】
これにより、時計用外装部品Ｐ１０の美的外観を特に優れたものとすることができる。また、基材Ｐ１と被膜Ｐ３との密着性（特に、下地層Ｐ２を介した密着性）を特に優れたものとすることができ、時計用外装部品Ｐ１０の耐久性を特に優れたものとすることができる。
【００５９】
なお、本明細書では、「平均粒径」とは、質量基準の平均粒径のことを指すものとする。この平均粒径は、例えば、エアロゾルのモビリティーを測定し、エアロダイナミック径を求めることにより得ることができる。粒径の測定には、例えば、ＴＳＩ社製ｎａｎｏＤＭＡ−ＳＭＰＳ等を用いることができる。なお、平均粒径は、走査型電子顕微鏡や透過型電子顕微鏡の測定結果から求めてもよい。
【００６０】
被膜Ｐ３は、時計用外装部品Ｐ１０が時計に組み込まれた状態において、観察可能な部位の一部に選択的に設けられたものであるのが好ましい。
【００６１】
これにより、被膜Ｐ３自体が特定のパターンを有するものであることの効果や、被膜Ｐ３が設けられた部位と被膜Ｐ３が設けられていない部位との組み合わせによる効果により、時計用外装部品Ｐ１０、時計の美的外観を特に優れたものとすることができる。
【００６２】
また、従来においては、時計用外装部品が時計に組み込まれた状態において、被膜が観察可能な部位の一部に選択的に設けられたものである場合に、時計用外装部品の製造時における材料の無駄が特に多くなる等の問題があったが、本発明によれば、このような問題の発生を確実に防止することができる。したがって、被膜Ｐ３が、時計用外装部品Ｐ１０が時計に組み込まれた状態において観察可能な部位の一部に選択的に設けられたものである場合に、本発明による効果がより顕著に発揮される。
【００６３】
時計用外装部品Ｐ１０が時計に組み込まれた状態において、時計用外装部品Ｐ１０の観察可能な部位のうち、被膜Ｐ３が設けられている部位の占める面積率（時計用外装部品Ｐ１０の表面が平坦なものである場合には、当該面の法線方向から観察した際の面積率）は、特に限定されないが、７０％以下であるのが好ましく、２％以上５０％以下であるのがより好ましい。
これにより、前述したような効果がより顕著に発揮される。
【００６４】
被膜Ｐ３の平均厚さは、０．１μｍ以上１００μｍ以下であるのが好ましい。
これにより、時計用外装部品Ｐ１０の美的外観を特に優れたものとすることができる。また、時計用外装部品Ｐ１０の耐久性を特に優れたものとすることができる。
【００６５】
時計用外装部品Ｐ１０は、時計に組み込まれた状態において、被膜Ｐ３が設けられた面が、内表面側となるように配置されるものであるのが好ましい。これにより、被膜Ｐ３の不本意な剥離等をより効果的に防止することができ、時計の耐久性を特に優れたものとすることができる。
【００６６】
時計用外装部品Ｐ１０が備える被膜Ｐ３は、各部位で均一な組成を有するものであってもよいし、異なる組成を有するものであってもよい。例えば、時計用外装部品Ｐ１０は、異なる質感（例えば、異なる色彩）の複数種の被膜Ｐ３を所定のパターンで有するものであってもよい。これにより、時計用外装部品Ｐ１０の美的外観のさらなる向上を図ることができる。
【００６７】
＜下地層＞
図示の構成では、基材Ｐ１と被膜Ｐ３との間に、下地層Ｐ２が設けられている。
【００６８】
これにより、例えば、基材Ｐ１と被膜Ｐ３との密着性（下地層Ｐ２を介した密着性）を特に優れたものとすることができる。また、例えば、下地層Ｐ２を着色層として機能させることにより、時計用外装部品Ｐ１０の美的外観のさらなる向上を図ることもできる。また、下地層Ｐ２をギャップ層として機能させることにより、被膜Ｐ３が浮き上がったような立体感のある外観を得ることができる。
【００６９】
下地層Ｐ２の平均厚さは、０．０１μｍ以上１０μｍ以下であるのが好ましい。
これにより、下地層Ｐ２は、前述したような機能をより効果的に発揮することができる。
【００７０】
下地層Ｐ２は、いかなる材料で構成されたものであってもよいが、ＴｉＮで構成されたものであるのが好ましい。
【００７１】
これにより、基材Ｐ１と被膜Ｐ３との密着性（下地層Ｐ２を介した密着性）、特に、被膜Ｐ３が金属材料で構成されたものである場合の密着性を特に優れたものとすることができる。また、ＴｉＮは、前述したような厚さで、高い透明性を有する材料であるため、時計用外装部品Ｐ１０全体としての外観に悪影響を及ぼすことをより効果的に防止することができる。
【００７２】
なお、図示の構成では、基材Ｐ１の被膜Ｐ３が設けられた側の面全体に下地層Ｐ２が設けられているが、例えば、下地層Ｐ２は、被膜Ｐ３と接触する部位のみに選択的に設けられたものであってもよい。また、下地層Ｐ２は、被膜Ｐ３が設けられた部位の一部のみに設けられたものであってもよい。
【００７３】
また、図示の構成では、１層の下地層Ｐ２を備える場合について説明したが、時計用外装部品は、２層以上の下地層を備えるものであってもよい。
【００７４】
下地層Ｐ２は、各部位で均一な組成を有するものであってもよいし、異なる組成を有するものであってもよい。例えば、厚さ方向に組成の異なる層が積層された積層体や、傾斜的に組成が変化する傾斜材料で構成されたものであってもよい。
【００７５】
＜反射防止膜＞
図示の構成では、被膜Ｐ３の基材Ｐ１に対向する面とは反対の面側に、反射防止膜Ｐ４が設けられている。
【００７６】
これにより、外光の不本意な映り込みを効果的に防止することができ、時計用外装部品Ｐ１０の美的外観を特に優れたものとすることができる。
【００７７】
また、時計用外装部品Ｐ１０がカバーガラス（風防ガラス）に適用される場合においては、上記のように美的外観を向上させる効果が得られるとともに、文字板の視認性も向上させることができ、時計全体としての美的外観を特に優れたものとすることができる。また、時刻等の識別性も向上する等、実用品としての機能も向上する。
【００７８】
反射防止膜Ｐ４の厚さは、特に限定されないが、０．２μｍ以上１０μｍ以下であるのが好ましく、０．３μｍ以上７μｍ以下であるのがより好ましい。
【００７９】
これにより、時計用外装部品Ｐ１０が大型化、厚型化するのを効果的に防止しつつ、前述したような機能をより効果的に発揮することができる。
【００８０】
なお、図示の構成では、基材Ｐ１の被膜Ｐ３が設けられた側の面全体に反射防止膜Ｐ４が設けられているが、例えば、反射防止膜Ｐ４は、基材Ｐ１の被膜Ｐ３が設けられた側の面の一部のみに選択的に設けられたものであってもよい。
【００８１】
次に、本発明の時計用外装部品をカバーガラス（風防ガラス）に適用した場合の具体的な一例について説明する。
【００８２】
図２に示すように、カバーガラスとしての本実施形態の時計用外装部品Ｐ１０は、平面視した際の外周部付近に選択的に被膜が設けられている。
【００８３】
特に、図示の構成では、所定のパターン（唐草模様）で被膜が設けられている。このように、複雑なパターンの被膜Ｐ３であっても、本発明によれば、製造時における材料の無駄が少なく、環境への負荷の小さいものとして得ることができる。
【００８４】
＜＜時計用外装部品の製造方法＞＞
次に、本発明の時計用外装部品の製造方法について説明する。
【００８５】
図３は、本発明の時計用外装部品の製造方法の好適な実施形態について、各工程を模式的に示す断面図である。
【００８６】
図３に示すように、本実施形態の製造方法は、基材Ｐ１を準備する基材準備工程（１ａ）と、基材Ｐ１の表面に下地層Ｐ２を形成する下地層形成工程（１ｂ）と、下地層Ｐ２の表面に、ガスデポジション法により、被膜Ｐ３を形成する被膜形成工程（１ｃ）と、基材Ｐ１の下地層Ｐ２、被膜Ｐ３が設けられた面側に反射防止膜Ｐ４を形成する反射防止膜形成工程（１ｄ）とを有している。
【００８７】
＜基材準備工程＞
基材準備工程では、前述したような基材Ｐ１を準備する（１ａ）。
【００８８】
本工程で用意する基材Ｐ１は、水洗、アルカリ洗、酸洗、有機溶媒による洗浄等の清浄化処理が施されたものであってもよい。
【００８９】
また、基材Ｐ１上に形成される層との密着性向上等を目的として表面処理が施されたものであってもよい。
【００９０】
＜下地層形成工程＞
次に、基材Ｐ１の表面に下地層Ｐ２を形成する（１ｂ）。
【００９１】
本工程で形成する下地層Ｐ２としては、前述したような条件を満足するものであるのが好ましい。
【００９２】
下地層Ｐ２は、例えば、真空蒸着、イオンプレーティング、スパッタリング、化学蒸着法（ＣＶＤ）等の気相成膜法（乾式めっき法）、湿式めっき法、ディッピング等により形成することができる。
【００９３】
＜被膜形成工程＞
次に、下地層Ｐ２の表面の一部に、ガスデポジション法により被膜Ｐ３を形成する（１ｃ）。
【００９４】
本工程で形成する被膜Ｐ３としては、前述したような条件を満足するものであるのが好ましい。
本工程で用いる被膜形成用装置については、後に詳述する。
【００９５】
＜反射防止膜形成工程＞
次に、基材Ｐ１の下地層Ｐ２、被膜Ｐ３が設けられた面側に反射防止膜Ｐ４を形成する（１ｄ）。
【００９６】
本工程で形成する反射防止膜Ｐ４としては、前述したような条件を満足するものであるのが好ましい。
【００９７】
反射防止膜Ｐ４は、例えば、真空蒸着、イオンプレーティング、スパッタリング、化学蒸着法（ＣＶＤ）等の気相成膜法（乾式めっき法）、湿式めっき法、ディッピング等により形成することができる。
【００９８】
＜被膜形成用装置＞
次に、被膜Ｐ３の形成に用いる被膜形成用装置について説明する。
【００９９】
図４は、被膜の形成に用いられる被膜形成装置の好適な実施形態を示す縦断面側面図、図５は、図４に示す被膜形成装置の主要部のブロック図である。なお、以下では、説明の便宜上、図４において、互いに直交する３つの軸として、ｘ軸、ｙ軸およびｚ軸を図示している。ｘ軸は、水平方向のうちの一方向に沿った軸であり、ｙ軸は、水平方向であって前記ｘ軸に対し垂直な方向に沿った軸であり、ｚ軸は、鉛直方向（上下方向）に沿った軸である。また、図示した各矢印の先端側を「正側（＋側）」、基端側を「負側（−側）」とする。また、図４中の上側を「上（上方）」と言い、下側を「下（下方）」と言う。また、図４においては、基材Ｐ１上に設けられた下地層Ｐ２の図示を省略している。
【０１００】
被膜形成装置１は、被膜Ｐ３を形成する「ガスデポジション装置」である。
ガスデポジション装置は、系内で気化した物質を凝縮させることにより形成された微粒子（被膜となる材料の微粒子）をノズルから基材に向けて吹き付けて、その衝撃力によって基材上に被膜を形成する装置である。
【０１０１】
図４、図５に示すように、被膜形成装置１は、第１のチャンバー（蒸気発生室）１５と、第２のチャンバー（成膜室）１６と、連結管２と、ガス供給手段３と、加熱手段４と、圧力調整手段５と、移動手段６と、制御部７とを備えている。
【０１０２】
第１のチャンバー１５は、気密性を維持することができるよう構成され、その内部に被膜Ｐ３となる固体の母材Ｐ３’を収納することができる。
【０１０３】
第２のチャンバー１６は、第１のチャンバー１５と独立して設けられている。この第２のチャンバー１６も、気密性を維持することができるよう構成され、その内部に複数の基材Ｐ１を収納することができる。
【０１０４】
なお、第１のチャンバー１５、第２のチャンバー１６内の室温は、例えば、水冷により、すなわち、配管を通過する冷媒により、２５℃以上３０℃以下に調整されている。
【０１０５】
連結管２は、第１のチャンバー１５と第２のチャンバー１６とを連結するものであり、その内腔部２２が、第２のチャンバー１６で気化した母材Ｐ３’が通過する流路として機能する。
【０１０６】
連結管２は、その一端に開口した第１の開口部（一端開口部）２５が第１のチャンバー１５内に臨んでおり、他端に開口した第２の開口部（他端開口部）２１が第２のチャンバー１６内に臨んでいる。これにより、第１のチャンバー１５と第２のチャンバー１６とは、連結管２を介して、連通する。
【０１０７】
図４に示すように、第１の開口部２５は、第１のチャンバー１５内の加熱手段４が有する容器（るつぼ）４３にその上側から対向しているのが好ましい。これにより、前記気化した母材Ｐ３’が第１の開口部２５に向かって迅速に流入することができる。
【０１０８】
また、第２の開口部２１は、第２のチャンバー１６に収納された基材Ｐ１の面方向に対して平行に配されている。そして、前記気化した母材Ｐ３’は、連結管２（内腔部２２）を通過する過程で粒子となり、当該粒子が第２の開口部２１から基材Ｐ１に吹き付けられる。これにより、被膜Ｐ３が基材Ｐ１上（特に、本実施形態では、下地層Ｐ２の表面）に形成される。このように、連結管２では、第２の開口部２１側の部分がノズル部２４として機能する。
【０１０９】
なお、連結管２の平均内径は、特に限定されないが、例えば、１ｍｍ以上１０ｍｍ以下であるのが好ましい。また、第２の開口部２１の内径は、特に限定されないが、例えば、０．１ｍｍ以上１ｍｍ以下であるのが好ましい。
【０１１０】
また、連結管２の構成材料としては、特に限定されず、例えば、ステンレス鋼等のような金属材料を用いることができる。
【０１１１】
また、連結管２の外周部には、当該連結管２を加熱する加熱機構９０が設けられているのが好ましい。この加熱機構９０より、連結管２を通過する粒子Ｐ３１が連結管２−内周部（内壁）に付着するのを防止することができる。なお、加熱温度としては、特に限定されず、例えば、１００℃以上３００℃以下が好ましく、２５０℃以上３００℃以下がより好ましい。
【０１１２】
図４に示すように、ガス供給手段３は、第１のチャンバー１５内にガスＧ１を供給するものである。なお、この供給量としては、特に限定されず、例えば、１Ｌ／分以上９０Ｌ／分以下であるのが好ましい。
【０１１３】
ガス供給手段３は、ガスＧ１が充填されたタンク３１と、タンク３１と第１のチャンバー１５とを連結する連結管３２と、連結管３２の途中に設置された電磁弁３３とを有している。
【０１１４】
タンク３１は、ガスＧ１を気密的に貯留することができるものである。
タンク３１に貯留されるガスＧ１としては、特に限定されず、例えば、窒素ガスを用いることができ、その他、ヘリウムやアルゴン等のような不活性ガスも用いることができる。
【０１１５】
タンク３１と第１のチャンバー１５とは、連結管３２を介して、連通している。この連結管３２は、硬質のものであってもよいし、可撓性を有するものであってもよい。
【０１１６】
また、連結管３２には、その長手方向の途中に電磁弁３３が設置されている。電磁弁３３は、連結管３２を開閉するものである。そして、電磁弁３３が開状態のときに、タンク３１と第１のチャンバー１５とが連通する。これにより、タンク３１から第１のチャンバー１５へのガスＧ１の供給が行われる。また、電磁弁３３が閉状態のときに、タンク３１と第１のチャンバー１５との連通が遮断される。これにより、タンク３１から第１のチャンバー１５へのガスＧ１の供給が停止する。
【０１１７】
加熱手段４は、第１のチャンバー１５内の母材Ｐ３’を気化するまで加熱するものである。加熱手段４は、第１のチャンバー１５内に設置された容器４３と、容器４３の外周側に配置されたコイル４４と、コイル４４に交流電圧を印加する電圧印加部としての交流電源（高周波電源）４１と、交流電源４１とコイル４４との間に配置されたスイッチ４２とを有している。
【０１１８】
容器４３は、有底筒状をなす部材で構成され、その内部に母材Ｐ３’を収納することができる。
【０１１９】
なお、容器４３の内径としては、特に限定されず、例えば、３ｍｍ以上６ｍｍ以下であるのが好ましい。また、容器４３の構成材料としては、特に限定されず、例えば、炭素等を用いることができる。
【０１２０】
容器４３の外周側には、コイル４４が同心的に配置されている。このコイル４４は、導電性材料で構成された素線４４１を巻回して形成されたものである。また、コイル４４の内周部４４２と、容器４３の外周部４３１とは、離間しているのが好ましい。
【０１２１】
素線４４１を構成する導電性材料としては、特に限定されず、例えば、タングステン等のような比較的電気抵抗が高い材料を用いることができる。
【０１２２】
交流電源４１は、コイル４４と電気的に接続されており、当該コイル４４に交流電圧を印加することができる。そして、スイッチ４２を操作することにより、コイル４４に交流電圧を印加する電圧印加状態と、その印加を停止する印加停止状態とに切り替えることができる。電圧印加状態では、すなわち、加熱手段４を作動させることにより、母材Ｐ３’を容器４３ごと加熱することができる。これにより、母材Ｐ３’は、融点で溶融して、さらに融点を超える程度にまで加熱される。このとき、母材Ｐ３’は、蒸発して、連結管２の内腔部２２をガスＧ１とともに流下する。この気化した母材Ｐ３’は、連結管２を通過する過程で冷却されて粒子Ｐ３１となり、第２の開口部２１から基材Ｐ１に吹き付けられる。そして、この粒子Ｐ３１は、基材Ｐ１に衝突して付着することとなり、その結果、被膜Ｐ３が形成される。
【０１２３】
なお、ガスＧ１を例えば窒素ガスとした場合、当該窒素ガスは、粒子Ｐ３１を運ぶ「キャリアガス」として好適に用いられる。
【０１２４】
なお、交流電圧の印加によって供給される電力は、１ｋＷ以上９０ｋＷ以下であるのが好ましく、５ｋＷ以上５０ｋＷ以下であるのがより好ましい。また、交流電圧の周波数は、３００ＭＨｚ以上６００ＭＨｚ以下であるのが好ましく、４００ＭＨｚ以上５００ＭＨｚ以下であるのがより好ましく、４５０ＭＨｚであるのがさらに好ましい。このような数値範囲により、固体の母材Ｐ３’を過不足なく加熱して確実に気化させることができる。
【０１２５】
圧力調整手段５は、第２のチャンバー１６内の圧力を第１のチャンバー１５内の圧力よりも低くするものである。
【０１２６】
図４に示すように、圧力調整手段５は、第２のチャンバー１６内を吸引するポンプ５１と、ポンプ５１と第２のチャンバー１６とを連結する連結管５２と、連結管５２の途中に設置された電磁弁５３とを有している。
【０１２７】
ポンプ５１は、第２のチャンバー１６内のガスＧ２を吸引するものである。この吸引により、第２のチャンバー１６内のガスＧ２が連結管５２を介して排出され、よって、第２のチャンバー１６内の圧力が第１のチャンバー１５内の圧力よりも確実に低くなる。これにより、粒子Ｐ３１が第２のチャンバー１６内に確実に流出することができ、よって、被膜Ｐ３を確実に形成することができる。
【０１２８】
なお、第２のチャンバー１６内の圧力としては、第１のチャンバー１５内の圧力にもよるが、例えば、第１のチャンバー１５内の圧力が０．１気圧以上１０気圧以下である場合、０．１気圧未満とすることができる。
【０１２９】
また、ポンプ５１としては、特に限定されず、例えば、ターボ分子ポンプ、ドライポンプ、メカニカルブースターポンプ、ロータリーポンプ等を用いることができる。
【０１３０】
ポンプ５１は、連結管５２を介して、第２のチャンバー１６と連結されている。この連結管５２は、硬質のものであってもよいし、可撓性を有するものであってもよい。
【０１３１】
また、連結管５２には、その長手方向の途中に電磁弁５３が設置されている。電磁弁５３は、連結管５２を開閉するものである。そして、電磁弁５３が開状態のときに、ポンプ５１の吸引力により、第２のチャンバー１６内を吸引することができ、よって、第２のチャンバー１６内を減圧することができる。また、電磁弁５３が閉状態のときに、ポンプ５１の吸引力が第２のチャンバー１６内に及ぶのが阻止される。
【０１３２】
図４に示すように、移動手段６は、基材Ｐ１を第２の開口部２１に対し、ｙ軸方向に向かって移動させるものである。図４、図５に示すように、移動手段６は、複数の基材Ｐ１を搬送するステージ（テーブル）６１と、ステージ６１をｙ軸方向に向かって移動させるｙ軸モーター６２ｙと、ｙ軸モーター６２ｙの駆動を制御するｙ軸モータードライバー６３ｙとを有している。また、移動手段６は、ステージ６１をｘ軸方向に向かって移動させることもでき、その移動を行なうｘ軸モーター６２ｘと、ｘ軸モーター６２ｘの駆動を制御するｘ軸モータードライバー６３ｘとを有している。
【０１３３】
ステージ６１は、例えばステンレス鋼等のような金属材料で構成された板状をなす部材である。このステージ６１は水平に支持されている。
【０１３４】
ｙ軸モーター６２ｙは、例えばサーボモータであり、ボールねじ（図示せず）等を介して、ステージ６１と連結されている。そして、ｙ軸モーター６２ｙが回転することにより、その回転力がボールねじを介してステージ６１に伝達される。これにより、ステージ６１上に載置された複数の基材Ｐ１をステージ６１ごと、ｙ軸方向に向かって移動させることができる。
【０１３５】
また、ｙ軸モーター６２ｙは、ｙ軸モータードライバー６３ｙと電気的に接続されている。
【０１３６】
このｙ軸モータードライバー６３ｙの制御により、ｙ軸モーター６２ｙの回転数を変化させることができる。これにより、ステージ６１が移動する際の速さ、すなわち、移動手段６の作動時の速さが可変となる。そして、当該速さの大小に応じて、形成される被膜Ｐ３の厚さをそれぞれ調整することができる。例えば、速さが「大」のときは、「薄い」被膜Ｐ３が形成され、速さが「小」のときは、「厚い」被膜Ｐ３が形成される。
【０１３７】
ｘ軸モーター６２ｘは、ｙ軸モーター６２ｙと同様に、例えばサーボモータであり、ボールねじ（図示せず）等を介して、ステージ６１と連結されている。そして、ｘ軸モーター６２ｘが回転することにより、その回転力がボールねじを介してステージ６１に伝達される。これにより、ステージ６１上に載置された複数枚の基材Ｐ１をステージ６１ごと、ｘ軸方向に向かって移動させることができる。
【０１３８】
また、ｘ軸モーター６２ｘは、ｘ軸モータードライバー６３ｘと電気的に接続されている。
【０１３９】
ガス供給手段３、加熱手段４、圧力調整手段５および移動手段６の各作動は、それぞれ、制御部７により制御される。制御部７は、例えば、ＣＰＵ（Central Processing Unit）が内蔵されたパーソナルコンピューター（ＰＣ）である。
【０１４０】
図５に示すように、制御部７は、ガス供給手段３の電磁弁３３と、加熱手段４の交流電源４１およびスイッチ４２と、圧力調整手段５のポンプ５１および電磁弁５３と、移動手段６のｘ軸モータードライバー６３ｘおよびｙ軸モータードライバー６３ｙとそれぞれ電気的に接続されている。そして、制御部７は、これらをそれぞれ独立して作動させることができる。なお、制御プログラムは、制御部７に内蔵された記憶部（記録媒体）７１に予め記憶されている。
【０１４１】
なお、記憶部７１は、例えば、ＲＡＭ（Random Access Memory：揮発性、不揮発性のいずれをも含む）、ＦＤ（Floppy Disk（Floppyは登録商標））、ＨＤ（Hard Disk）、ＣＤ−ＲＯＭ（Compact Disc Read-Only Memory）等のような、磁気的、光学的記録媒体、もしくは半導体メモリーで構成されている。
【０１４２】
次に、被膜形成工程における被膜形成装置１の作動について、詳細に説明する。
被膜形成工程では、図４に示すように、連結管２の第２の開口部２１を基材Ｐ１に対向するように、ステージ６１を連結管２の第２の開口部２１に対し位置合わせを行なう。なお、この位置合わせは、ＣＣＤ（Charge Coupled Device）カメラを用いて、当該ＣＣＤカメラで撮像された画像に基づいて行われる。
【０１４３】
また、このとき、被膜形成装置１では、圧力調整手段５が作動している。これにより、第２のチャンバー１６内の圧力が第１のチャンバー１５内の圧力よりも低くなる。なお、この状態は、基材Ｐ１に対する被膜Ｐ３の形成が完了するまで維持される。
【０１４４】
また、被膜形成装置１では、加熱手段４も作動している。これにより、前述したように、容器４３内の母材Ｐ３’が気化する。そして、当該気化した母材Ｐ３’は、第１のチャンバー１５内の圧力と第２のチャンバー１６内の圧力との差により、連結管２を通過していく。
【０１４５】
さらに、被膜形成装置１では、ガス供給手段３も作動している。
そして、移動手段６を作動させる、すなわち、ステージ６１をｙ軸正方向に向かって移動させる。
【０１４６】
以上のようにガス供給手段３、加熱手段４、圧力調整手段５、移動手段６が作動することにより、第１のチャンバー１５内で気化した母材Ｐ３’は、第２のチャンバー１６に向かって連結管２を確実に通過する。この通過の際、前記気化した母材Ｐ３’は、粒子Ｐ３１となる。また、この粒子Ｐ３１は、前述したキャリアガスとしてのガスＧ１によって、円滑に連結管２を通過することができる。その後、粒子Ｐ３１は、第２の開口部２１から排出されて、各基材Ｐ１に対し順に吹き付けられて付着する。これにより、基材Ｐ１の所望の部位に、所望の形状を有する被膜Ｐ３を迅速に形成することができる。
【０１４７】
前述したような本発明の時計用外装部品の製造方法によれば、材料の無駄が少なく、環境への負荷の小さい方法で、美的外観に優れた時計用外装部品を効率よく製造することができる時計用外装部品の製造方法を提供することができる。
【０１４８】
＜＜時計＞＞
次に、本発明の時計について説明する。
【０１４９】
本発明の時計は、上述したような本発明の時計用外装部品を有するものである。
これにより、美的外観に優れ、製造時における材料の無駄が少なく、環境への負荷の小さい時計用外装部品を備えた時計を提供することができる。
【０１５０】
また、時計全体としても、美的外観に優れたものとすることができ、製造時における材料の無駄が少なく、環境への負荷の小さいものとすることができる。
【０１５１】
なお、本発明の時計は、少なくとも１つの時計用外装部品として、本発明の時計用外装部品を備えるものであればよく、それ以外の部品としては、公知のものを用いることができるが、以下に、本発明の時計の構成の一例について説明する。
【０１５２】
図６は、本発明の時計（腕時計）の好適な実施形態を示す断面図である。
図６に示すように、本実施形態の腕時計（携帯時計）Ｐ１００は、胴（ケース）Ｐ８２と、裏蓋Ｐ８３と、ベゼル（縁）Ｐ８４と、ガラス板（カバーガラス）Ｐ８５とを備えている。また、ケースＰ８２内には、時計用文字板Ｐ７と、太陽電池Ｐ９４と、ムーブメントＰ８１とが収納されており、さらに、図示しない針（指針）等が収納されている。
【０１５３】
ガラス板Ｐ８５は、通常、透明性の高い透明ガラスやサファイア等で構成されている。これにより、時計用文字板Ｐ７や針等の視認性を十分に優れたものとすることができるとともに、太陽電池Ｐ９４に十分な光量の光を入射させることができる。
【０１５４】
ムーブメントＰ８１は、太陽電池Ｐ９４の起電力を利用して、指針を駆動する。
図６中では省略しているが、ムーブメントＰ８１内には、例えば、太陽電池Ｐ９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
【０１５５】
また、ムーブメントＰ８１は、図示しない電波受信用のアンテナを備えている。そして、受信した電波を用いて時刻調整等を行う機能を有している。
【０１５６】
太陽電池Ｐ９４は、光エネルギーを電気エネルギーに変換する機能を有する。そして、太陽電池Ｐ９４で変換された電気エネルギーは、ムーブメントの駆動等に利用される。
【０１５７】
太陽電池Ｐ９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【０１５８】
胴Ｐ８２には巻真パイプＰ８６が嵌入・固定され、この巻真パイプＰ８６内にはりゅうずＰ８７の軸部Ｐ８７１が回転可能に挿入されている。
【０１５９】
胴Ｐ８２とベゼルＰ８４とは、プラスチックパッキンＰ８８により固定され、ベゼルＰ８４とガラス板Ｐ８５とはプラスチックパッキンＰ８９により固定されている。
【０１６０】
また、胴Ｐ８２に対し裏蓋Ｐ８３が嵌合（または螺合）されており、これらの接合部（シール部）Ｐ９３には、リング状のゴムパッキン（裏蓋パッキン）Ｐ９２が圧縮状態で介挿されている。この構成によりシール部Ｐ９３が液密に封止され、防水機能が得られる。
【０１６１】
りゅうずＰ８７の軸部Ｐ８７１の途中の外周には溝Ｐ８７２が形成され、この溝Ｐ８７２内にはリング状のゴムパッキン（りゅうずパッキン）Ｐ９１が嵌合されている。ゴムパッキンＰ９１は巻真パイプＰ８６の内周面に密着し、該内周面と溝Ｐ８７２の内面との間で圧縮される。この構成により、りゅうずＰ８７と巻真パイプＰ８６との間が液密に封止され防水機能が得られる。なお、りゅうずＰ８７を回転操作したとき、ゴムパッキンＰ９１は軸部Ｐ８７１と共に回転し、巻真パイプＰ８６の内周面に密着しながら周方向に摺動する。
【０１６２】
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【０１６３】
以上、本発明の好適な実施形態について説明したが、本発明は上記のようなものに限定されるものではない。
【０１６４】
例えば、本発明の時計用外装部品、時計では、各部の構成は、同様の機能を発揮する任意の構成のものに置換することができ、また、任意の構成を付加することもできる。
【０１６５】
また、前述した実施形態では、時計用外装部品が、基材、被膜に加え、下地層および反射防止膜を備える場合について中心的に説明したが、本発明の時計用外装部品は、基材と被膜とを備えるものであればよく、下地層、反射防止膜のうち少なくとも一方を備えていないものであってもよい。
【０１６６】
また、本発明の時計用外装部品の製造方法においては、必要に応じて、前処理工程、中間処理工程、後処理工程を行ってもよい。
【０１６７】
また、被膜形成装置の連結管の開口部は、前記第１実施形態ではｚ軸負方向を向いているが、これに限定されず、例えば、ｘ軸正方向、ｘ軸負方向、ｙ軸正方向、ｙ軸負方向またはｚ軸正方向を向いていてもよい。
【０１６８】
また、被膜形成装置の移動手段は、前記実施形態では基材を連結管のノズル部に対しｙ軸正方向に向かって移動させるよう構成されているが、これに限定されず、例えば、連結管のノズル部を基材に対しｙ軸正方向に向かって移動させるよう構成されていてもよい。
【０１６９】
また、被膜形成装置の移動手段は、ステージをｚ軸方向にも移動させることができるよう構成されていてもよい。また、ステージを回転可能に構成されていてもよい。
【０１７０】
また、被膜形成装置は、基材に対し被膜を形成する際には、前記実施形態ではステージを移動させつつ、その形成を行なっていたが、これに限定されず、例えば、各基材上にノズルが位置するごとに、ステージの移動を停止し、その形成を行なってもよい。
【０１７１】
また、被膜形成装置の圧力調整手段は、前記実施形態では第２のチャンバー内を減圧して、第２のチャンバー内の圧力を第１のチャンバー内の圧力よりも低くするよう構成されているが、これに限定されず、例えば、第１のチャンバー内を加圧して、第２のチャンバー内の圧力を第１のチャンバー内の圧力よりも低くするよう構成されていてもよい。
【符号の説明】
【０１７２】
Ｐ１００……腕時計（携帯時計）  Ｐ１０……時計用外装部品  Ｐ１……基材  Ｐ２……下地層  Ｐ３……被膜  Ｐ３’……母材  Ｐ３１……粒子  Ｐ４……反射防止膜  Ｐ７……時計用文字板  Ｐ８１……ムーブメント  Ｐ８２……胴（ケース）  Ｐ８３……裏蓋  Ｐ８４……ベゼル（縁）  Ｐ８５……ガラス板（カバーガラス）  Ｐ８６……巻真パイプ  Ｐ８７……りゅうず  Ｐ８７１……軸部  Ｐ８７２……溝  Ｐ８８……プラスチックパッキン  Ｐ８９……プラスチックパッキン  Ｐ９１……ゴムパッキン（りゅうずパッキン）  Ｐ９２……ゴムパッキン（裏蓋パッキン）  Ｐ９３……接合部（シール部）  Ｐ９４……太陽電池  １……被膜形成装置  ２……連結管  ２１……第２の開口部（他端開口部）  ２２……内腔部  ２４……ノズル部  ２５……第１の開口部（一端開口部）  ３……ガス供給手段  ３１……タンク  ３２……連結管  ３３……電磁弁  ４……加熱手段  ４１……交流電源（高周波電源）  ４２……スイッチ  ４３……容器  ４３１……外周部  ４４……コイル  ４４１……素線  ４４２……内周部  ５……圧力調整手段  ５１……ポンプ  ５２……連結管  ５３……電磁弁  ６……移動手段  ６１……ステージ（テーブル）  ６２ｘ……ｘ軸モーター  ６２ｙ……ｙ軸モーター  ６３ｘ……ｘ軸モータードライバー  ６３ｙ……ｙ軸モータードライバー  ７……制御部  ７１……記憶部（記録媒体）  １５……第１のチャンバー（蒸気発生室）  １６……第２のチャンバー（成膜室）  ９０……加熱機構  Ｇ１、Ｇ２……ガス
【図１】
2015140483.tif 000003
【図２】
2015140483.tif 000004
【図３】
2015140483.tif 000005
【図４】
2015140483.tif 000006
【図５】
2015140483.tif 000007
【図６】
2015140483.tif 000008